(57)【要約】【課題】電極を完全な防水の隠蔽状態にすることにより、感電の事故を防止することができ、漏電による電圧の降下の発生がない静電散布ノズルを提供する。【解決手段】ノズル本体１２の噴霧口１２ａ近傍に電極１４を配置し、この電極１４からの高電圧によってアース電位の噴霧流体ｂを帯電させるようにした静電散布ノズルにおいて、前記ノズル本体１２の外側を覆う非導電性カバー１３が、ノズル本体１２側に固定する筒状のカバー本体１８と、このカバー本体１８の先端側に外嵌螺合した筒状の先端キャップ１９とからなり、円筒状に形成した電極１４をカバー本体１８と先端キャップ１９の嵌合面間に収め、このカバー本体１８と先端キャップ１９の嵌合面間で電極１４を挟む両側の位置に防水用のシール２０が組み込まれている。【選択図】図１
2009066597.tif 000002
【特許請求の範囲】
【請求項１】
噴霧口を有するノズル本体と、前記噴霧口近傍に配置してある電極とを備え、該電極に電圧を印加することによって、前記噴霧口から噴霧された液体が帯電するようにしてある静電散布ノズルにおいて、
前記電極を被覆する非導電性の被覆部を備えることを特徴とする静電散布ノズル。
【請求項２】
前記電極は環状をなし、前記噴霧口から噴霧された液体を囲繞するように配置してあることを特徴とする請求項１に記載の静電散布ノズル。
【発明の詳細な説明】
【技術分野】
【０００１】
この発明は、農薬等の噴霧に用いる静電散布ノズルに関する。
【背景技術】
【０００２】
農薬等の噴霧において、ノズル本体の噴霧口近傍に電極を配置し、この電極に高電圧をかけることによってアース電位の噴霧薬液に電荷をかけ、作物への付着率を向上させるようにした静電散布ノズルが使用されている(例えば特許文献１参照)。
【０００３】
従来の静電散布ノズルａは、図２に示すように、ノズル本体１の噴霧口１ａの外側に円筒状の非導電性カバー２を取付け、このカバー２をノズル本体１側に固定する筒状のカバー本体３と、このカバー本体３の先端側に外嵌螺合した筒状の先端キャップ４とで形成し、円筒状の電極５を噴霧口１ａの前方の周囲に位置するようカバー本体３の内周面側に配置し、この電極５をカバー本体３に対する先端キャップ４の螺締によって固定し、前記電極５に高電圧を供給する電線６を接続した構造になっている。
【０００４】
この静電散布ノズルａは、ノズル本体１の噴霧口１ａから薬液を噴霧するとき、電極５に電線６を介して外部から高電圧をかけることによってアース電位の噴霧薬液ｂに電荷をかけ、これにより、帯電した薬液ｂの作物への付着率を向上させることができる。
【特許文献１】特開２００４−１２２０９１号公報
【発明の開示】
【発明が解決しようとする課題】
【０００５】
ところで、上記した従来の静電散布ノズルａは、カバー２の内周面において電極５が露出し、人体に触れる状態になっているため、薬液ｂの噴霧中に人体が電極５に触れると感電する恐れがある。
【０００６】
また、電極５がカバー２の内周面において露出しているので、電極５が噴霧薬液ｂで濡れることにより、電極５に直接触れなくても水滴に触れることによって感電の恐れがあり、更に、薬液ｂと電極５間で漏電して電圧が降下し、静電の効果がなくなる現象が発生するという問題がある。
【０００７】
本発明は斯かる事情に鑑みてなされたものであり、その目的とするところは、電極を完全な防水の隠蔽状態にすることにより、感電の事故を防止することができると共に、漏電による電圧の降下の発生がない静電散布ノズルを提供することにある。また本発明の他の目的は、噴霧口から噴霧された液体が確実に帯電する静電散布ノズルを提供することにある。
【課題を解決するための手段】
【０００８】
第１発明に係る静電散布ノズルは、噴霧口を有するノズル本体と、前記噴霧口近傍に配置してある電極とを備え、該電極に電圧を印加することによって、前記噴霧口から噴霧された液体が帯電するようにしてある静電散布ノズルにおいて、前記電極を被覆する非導電性の被覆部を備えることを特徴とする。
【０００９】
本発明においては、電極を非導電性の被覆部にて被覆し、電極の露出を防止する。
【００１０】
第２発明に係る静電散布ノズルは、前記電極は環状をなし、前記噴霧口から噴霧された液体を囲繞するように配置してあることを特徴とする。
【００１１】
本発明においては、環状の電極に電圧を印加することによって、電極の内側に電場が発生し、該電場を前記噴霧口から噴霧された液体が通過する。
【発明の効果】
【００１２】
この発明によると、電極を非導電性の被覆部にて被覆することによって、外部への露出が防止され、電極の絶縁状態が維持される。このため人体が被覆部に触れたり、被覆部に付着した液体に触れても感電することはない。
【００１３】
また、電極は被覆部によって防水されているので電気絶縁状態となり、被覆部に付着した液体と電極間で漏電して電圧が降下するようなことがなく、確実に静電の効果を維持することができる。また環状の電極に電圧を印加して電極の内側に電場を発生させ、該電場を前記噴霧口から噴霧された液体が通過することによって、液体は確実に帯電する。
【発明を実施するための最良の形態】
【００１４】
以下、この発明の実施の形態を添付図面の図１（ａ）と（ｂ）に基づいて説明する。
【００１５】
図示のように、この発明の静電散布ノズルＡは、薬液タンクと接続した散布管１１の先端に装着して薬液ｂを噴霧するノズル本体１２に、噴霧口１２ａの外周から前方の外側を覆う非導電性のカバー１３を取付け、このカバー１３の厚み内に、噴霧口１２ａの前部で周囲に位置する電極１４を隠蔽して防水状に収め、電極１４には高電圧を供給する電線１５が接続され、この電線１５のカバー１３から外部に引出される部分は、防水プラグ１６によって止水されている。
【００１６】
図１（ａ）に示す第１の実施の形態は、カバー１３が、ノズル本体１２側に外嵌してビス１７等で固定する筒状のカバー本体１８と、このカバー本体１８の先端側に外嵌螺合した筒状の先端キャップ１９とからなり、これらカバー本体１８と先端キャップ１９は材料に合成樹脂を用い、円筒状に形成した電極１４をカバー本体１８と先端キャップ１９の嵌合面間に収め、このカバー本体１８と先端キャップ１９の嵌合面間で電極１４を挟む両側の位置にＯリング等の防水用のシール２０を組み込み、電極１４を絶縁と防水状態に隠蔽した構造になっている。
【００１７】
上記カバー本体１８には、電極１４に接続して高電圧を供給する電線１５の挿入孔２１が設けられ、この電線１５のカバー本体１８から外部に引出される部分は、防水プラグ１６によって止水されている。
【００１８】
図１（ｂ）に示す第２の実施の形態は、カバー１３が合成樹脂を用いて筒状に形成され、上記電極１４とこれに接続した電線１５をこのカバー１３内にモールド成形によって埋設し、電線１５のカバー１３から外部に引出される部分を防水プラグ１６によって止水し、電極１４を絶縁と防水状態に隠蔽した構造になっている。
【００１９】
この発明の静電散布ノズルＡは、上記のような構成であり、散布管１１の先端に装着した状態で薬液ｂを散布するとき、電極１４に高電圧をかけることによってアース電位の噴霧薬液ｂに電荷をかけ、薬液ｂの作物への付着率を向上させるものであり、電極１４が絶縁と防水状態に隠蔽されているので、人体がカバー１３に触れたり水滴に触れても感電の危険性はなくなる。
【００２０】
また、電極１４を防水状態とすることにより、電極１４が噴霧薬液ｂで濡れることがなく、薬液ｂと電極１４間の漏電で電圧が降下することがないので、薬液噴霧時の静電効果を維持することができる。
【図面の簡単な説明】
【００２１】
【図１】（ａ）は第１の実施の形態の静電散布ノズルを示す縦断正面図、（ｂ）は第２の実施の形態の静電散布ノズルを示す縦断正面図である。
【図２】従来の静電散布ノズルを示す縦断正面図である。
【符号の説明】
【００２２】
Ａ  静電散布ノズル
１１  散布管
１２  ノズル本体
１２ａ  噴霧口
１３  カバー
１４  電極
１５  電線
１６  防水プラグ
１７  ビス
１８  カバー本体
１９  先端キャップ
２０  防水用のシール
【図１】
2009066597.tif 000003
【図２】
2009066597.tif 000004